(57)【特許請求の範囲】
【請求項１】
一個のヘッド（１）、一個の取り外し可能な組立部材（２）および一個のシャフト（３）を有するゴルフクラブであって、前記ヘッド（１）には一個の通孔（１２）と一個の環状突起（１３）が含まれ、前記環状突起（１３）は前記通孔（１２）の内周壁から内方へ突出するように形成され、前記通孔（１２）の内周壁は前記通孔（１２）を形成し、かつ前記環状突起（１３）によって前記通孔（１２）を順番に一個の第一段（Ｓ２）、一個の縮径部（Ｓ１）および一個の第二段（Ｓ３）に分けられ、前記縮径部（Ｓ１）と前記環状突起（１３）は径方向に合わせるように設けられ、前記取り外し可能な組立部材（２）には一個の套管（２１）、一個の管状パッド（２２）および一個の固定部材（２３）が設けられ、前記套管（２１）は前記通孔（１２）の第一段（Ｓ２）に収容され、前記管状パッド（２２）は前記通孔（１２）の中に設けられて前記環状突起（１３）と結合し、前記管状パッド（２２）は前記第一段（Ｓ２）から前記縮径部（Ｓ１）を経由して前記第二段（Ｓ３）まで延伸し、前記固定部材（２３）は前記管状パッド（２２）の中に貫設されて一個の固定部（２３１）によって前記套管（２１）と結合し、さらに一個の頭部（２３３）によって前記管状パッド（２２）を通じて前記環状突起（１３）に当接され、前記シャフト（３）は前記套管（２１）に貫設され、かつ前記套管（２１）によって挟持されることを特徴とするゴルフクラブ。
【請求項２】
前記管状パッド（２２）には、前記通孔（１２）の第一段（Ｓ２）に設置される一個の前端部（２２１）と、前記通孔（１２）の第二段（Ｓ３）に設置される一個の後端部（２２２）と、前記前端部（２２１）および前記後端部（２２２）を連接する一個の腰部（２２３）とが含まれ、前記前端部（２２１）と前記後端部（２２２）は全て前記縮径部（Ｓ１）の直径（Ｄｎ）より大きい一個の最大外径（Ｄｆ１、Ｄｒ）を有し、かつ前記前端部（２２１）は前記固定部（２３１）の直径（Ｄｘ）より小さい一個の最小内径（Ｄｆ２）を有することを特徴とする請求項１に記載のゴルフクラブ。
【請求項３】
前記管状パッド（２２）の腰部（２２３）は延伸して前記縮径部（Ｓ１）を貫穿し、前記腰部（２２３）は前記縮径部（Ｓ１）の直径（Ｄｎ）より小さい一個の外径（Ｄｗ１）を有することを特徴とする請求項２に記載のゴルフクラブ。
【請求項４】
前記腰部（２２３）の最小内径（Ｄｗ２）と前記後端部（２２２）の内径は全て前記固定部（２３１）の直径（Ｄｘ）より大きいことを特徴とする請求項２に記載のゴルフクラブ。
【請求項５】
前記前端部（２２１）には一個の外傾斜面（２２１ａ）が設けられ、前記外傾斜面（２２１ａ）は前記前端部（２２１）の自由端から前記前端部（２２１）の最大外径（Ｄｆ１）の部位まで延伸することを特徴とする請求項２に記載のゴルフクラブ。
【請求項６】
前記腰部（２２３）は前記固定部（２３１）の直径（Ｄｘ）より大きいまたは同じである一個の最小内径（Ｄｗ２）を有し、かつ前記管状パッド（２２）には前記前端部（２２１）と前記腰部（２２３）の最小内径（Ｄｆ２、Ｄｗ２）の部位を連接する一個の内傾斜面（２２５）が設けられることを特徴とする請求項２に記載のゴルフクラブ。
【請求項７】
前記管状パッド（２２’）には複数個の軸方向凹部（２２６’）が含まれ、前記軸方向凹部（２２６’）は前記前端部（２２１）の自由端に設置され、前記軸方向凹部（２２６’）は前記管状パッド（２２）の中心通路（２２４）からその外周壁まで延伸し、かつ前記中心通路（２２４）は前記前端部（２２１）の最小内径（Ｄｆ２）に形成されることを特徴とする請求項２に記載のゴルフクラブ。
【請求項８】
前記軸方向凹部（２２６’）は前記前端部（２２１）の自由端から前記前端部（２２１）の最大外径（Ｄｆ１）および前記腰部（２２３）が前記後端部（２２２）と連結する間の位置まで延伸されることを特徴とする請求項７に記載のゴルフクラブ。
【請求項９】
前記軸方向凹部（２２６”）は前記前端部（２２１）の自由端から前記腰部（２２３）が前記後端部（２２２）と連結する部位まで延伸されることを特徴とする請求項７に記載のゴルフクラブ。
【請求項１０】
一個の前端部（２２１）、一個の後端部（２２２）、一個の腰部（２２３）および一個の中心通路（２２４）を有するゴルフクラブの管状パッドであって、前記前端部（２２１）は一個の最大外径（Ｄｆ１）と一個の最小内径（Ｄｆ２）を有し、前記後端部（２２２）は一個の最大外径（Ｄｒ）を有し、前記腰部（２２３）は前記前端部（２２１）と後端部（２２２）を連結し、前記中心通路（２２４）は延伸して前記前端部（２２１）、前記腰部（２２３）および前記後端部（２２２）を順番に通過して前記前端部（２２１）の最小内径（Ｄｆ２）として形成され、前記前端部（２２１）と前記後端部（２２２）は一個の環状突起（１３）を結合するのに用いられ、前記環状突起（１３）は前記腰部（２２３）を取り囲み、前記環状突起（１３）は前記前端部（２２１）と前記後端部（２２２）の間に位置され、かつ一個の環状周縁（１３１）が含まれ、前記環状周縁（１３１）の直径は前記前端部（２２１）と後端部（２２２）の最大外径（Ｄｆ１、Ｄｒ）より小さいことを特徴とするゴルフクラブの管状パッド。
【請求項１１】
前記腰部（２２３）の最小内径（Ｄｗ２）と前記後端部（２２２）の内径は全て前記前端部（２２１）の最小内径（Ｄｆ２）より大きいことを特徴とする請求項１０に記載のゴルフクラブの管状パッド。
【請求項１２】
前記前端部（２２１）には一個の外傾斜面（２２１ａ）が設けられ、前記外傾斜面（２２１ａ）は前記前端部（２２１）の自由端から前記前端部（２２１）の最大外径（Ｄｆ１）の部位まで延伸することを特徴とする請求項１０に記載のゴルフクラブの管状パッド。
【請求項１３】
さらに一個の内傾斜面（２２５）が含まれ、前記内傾斜面（２２５）は前記前端部（２２１）と前記腰部（２２３）の最小内径（Ｄｆ２、Ｄｗ２）の部位を連接することを特徴とする請求項１１に記載のゴルフクラブの管状パッド。
【請求項１４】
さらに複数個の軸方向凹部（２２６’）が含まれ、前記軸方向凹部（２２６’）は前記前端部（２２１）の自由端に設置され、前記軸方向凹部（２２６’）は中心通路（２２４）から管状パッド（２２’）の外周壁まで径方向で延伸することを特徴とする請求項１０に記載のゴルフクラブの管状パッド。
【請求項１５】
前記軸方向凹部（２２６’）は前記前端部（２２１）の自由端から前記前端部（２２１）の最大外径（Ｄｆ１）および前記腰部（２２３）が前記後端部（２２２）と連結する間の位置まで延伸されることを特徴とする請求項１４に記載のゴルフクラブの管状パッド。
【請求項１６】
前記軸方向凹部（２２６”）は前記前端部（２２１）の自由端から前記腰部（２２３）が前記後端部（２２２）と連結する部位まで延伸されることを特徴とする請求項１４に記載のゴルフクラブの管状パッド。
【発明の詳細な説明】
【技術分野】
【０００１】
本発明は、ゴルフクラブに関するもので、特に、複数の効果を有する管状パッドを備えたゴルフクラブに係るものである。
【背景技術】
【０００２】
従来のゴルフクラブとして、中華民国公告第Ｍ４４１５０２号の「交換可能、角度調整可能な管部材を有するゴルフクラブ」があった。また、例えば図９に示す従来のゴルフクラブの断面側面図において、一個のヘッド７、一個の取り外し可能な組立部材８および一個のシャフト９が含まれる。ヘッド７には一個のホーゼル７１、一個の通孔７２と一個の環状突起７３が設けられる。通孔７２は延伸してホーゼル７１を通過し、環状突起７３は通孔７２の内周壁から内へ突出する。通孔７２はホーゼル７１の一個の自由端において一個の上部開口７２１が形成され、さらにヘッド７の底部に近接する部位に一個の底部開口７２２が設けられる。取り外し可能な組立部材８には一個の套管８１、一個の第一パッド８２、一個の第二パッド８３と一個の固定部材８４が設けられる。套管８１は上部開口７２１を経由して通孔７２に挿入し、第一パッド８２は環状突起７３の一個の第一側辺に設置され、かつ上部開口７２１に向くように形成され、さらに第二パッド８３は環状突起７３の第二側辺に設置され、かつ底部開口７２２に向くように形成される。固定部材８４は底部開口７２２から第二パッド８３に挿入し、さらに第二パッド８３、環状突起７３と第一パッド８２を順番に通過し、套管８１の底部の一個のねじ部８４１に固定される。ねじ部８４１は套管８１に結合され、第二パッド８３は環状突起７３および固定部材８４とねじ部８４１が相対する一個の頭部８４２の間に設置される。具体的に言えば、第一パッド８２は可撓性を有し、かつ第一パッド８２の内径は元来ねじ部８４１の外径より小さくなるように形成される。シャフト９は套管８１に貫設され、さらに取り外し可能な組立部材８によってヘッド７と互いに結合するように構成されている。
【先行技術文献】
【特許文献】
【０００３】
【特許文献１】中華民国公告第Ｍ４４１５２０号公報
【発明の概要】
【発明が解決しようとする課題】
【０００４】
前記のような従来のゴルフクラブでは、例えば、上述した構造について、第一パッド８２はねじ部８４１が貫穿するように拡張することができないため（固定部材８４に力を入れて第一パッド８２に向かって押圧したり抜き取ったりするのを除く）、固定部材８４が套管８１と結合していない時、固定部材８４が通孔７２から離脱するのを避けることができる。他に、第二パッド８３は環状突起７３と頭部８４２の間に設置され、さらに圧力を分散させることができるため、環状突起７３と前記固定部材８４の使用年数を延ばすことができる。しかしながら、一般的に次のような問題点を有する。
【０００５】
固定部件８４を予定される位置に設置する過程において、元来第一パッド８２は環状突起７３の第一面に堅固に付着することができないため、第一パッド８２を押圧してねじ部８４１を貫穿するのが難しくなり、そのため、一個の管状工具を利用して暫時的にねじ部８４１を収容し、さらに第一パッド８２を環状突起７３に向かって押圧するしか方法がない。さらに、仮に固定部件８４のサイズを変えることによって連帯的にねじ部８４１の外径も変るため、第一パッド８２を設置する過程が複雑になるだけではなく、異なるサイズの管状工具が必要になるという問題点があった。
【０００６】
本発明はこのような問題点に鑑みて考案されたものであって、その目的とするところは、ゴルフクラブを提供し、その内に管状パッドが設けられることにより、固定部材が脱落するのを防止するとともに、前記固定部材を保護するという効果を達成することができ、さらに便利な貫設の過程によって前記管状パッドを設置することができる。
【課題を解決するための手段】
【０００７】
前記目的を達成するために、本発明によるゴルフクラブは、一個のヘッド、一個の取り外し可能な組立部材および一個のシャフトを有する。前記ヘッドには一個の通孔と一個の環状突起が含まれ、前記環状突起は前記通孔の内周壁から内へ突出するように形成され、前記通孔の内周壁は前記通孔を形成し、かつ前記環状突起によって前記通孔を順番に一個の第一段、一個の縮径部および一個の第二段に分けられ、前記縮径部と前記環状突起は径方向に合わせるように形成される。前記取り外し可能な組立部材には一個の套管、一個の管状パッドと一個の固定部材が設けられ、前記套管は前記通孔の第一段に収容され、前記管状パッドは前記通孔の中に設けられて前記環状突起と結合し、前記管状パッドは前記第一段から前記縮径部を経由して前記第二段まで延伸し、前記固定部材は前記管状パッドの中に貫設されて一個の固定部によって前記套管と結合し、さらに一個の頭部によって前記管状パッドを通じて前記環状突起に当接される。前記シャフトは前記套管に貫設され、かつ前記套管によって挟持される。
【０００８】
また、本発明によるゴルフクラブは、前記管状パッドには、前記通孔の第一段に設置される一個の前端部と、前記通孔の第二段に設置される一個の後端部と、前記前端部および前記後端部を連接する一個の腰部が含まれ、前記前端部と前記後端部には全て前記縮径部の直径より大きい一個の最大外径を有し、かつ前記前端部には前記固定部の直径より小さい一個の最小内径を有するように構成することもできる。
【０００９】
また、本発明によるゴルフクラブは、前記管状パッドの腰部は延伸して前記縮径部を貫穿し、前記腰部には前記縮径部の直径より小さい一個の外径を有することもできる。また、前記腰部の最小内径と前記後端部の内径は全て前記固定部の直径より大きく形成することもできる。また、前記前端部には一個の外傾斜面が設けられ、前記外傾斜面は前記前端部の自由端から前記前端部の最大外径の部位まで延伸することもできる。また、前記腰部には前記固定部の直径より大きいまたは同じである一個の最小内径が含まれ、かつ前記管状パッドには前記前端部と前記腰部の最小内径の部位を連接する一個の内傾斜面が設けられることもできる。また、前記管状パッドには複数個の軸方向凹部が含まれ、前記軸方向凹部は前記前端部の自由端に設置され、前記軸方向凹部は前記管状パッドの中心通路からその外周壁まで延伸し、かつ前記中心通路は前記前端部の最小内径に形成されることもできる。また、前記軸方向凹部は前記前端部の自由端から前記前端部の最大外径および前記腰部が前記後端部と連結する間の位置まで延伸されることこともできる。また、前記軸方向凹部は前記前端部の自由端から前記腰部が前記後端部と連結する部位まで延伸されることもできる。
【００１０】
一方、本発明によるゴルフクラブの管状パッドは、一個の前端部、一個の後端部、一個の腰部および一個の中心通路を有する。前記前端部には一個の最大外径と一個の最小内径を有する。前記後端部には一個の最大外径を有する。前記腰部は前記前端部と後端部を連結する。前記中心通路は順番に延伸して前記前端部、前記腰部と前記後端部を通過して前記前端部の最小内径として形成される。前記前端部と前記後端部は一個の環状突起を結合するのに用いられ、前記環状突起は前記腰部を取り囲み、前記環状突起は前記前端部と前記後端部の間に位置され、かつ一個の環状周縁が含まれ、前記環状周縁の直径は前記前端部と後端部の最大外径より小さい。
【００１１】
また、本発明によるゴルフクラブの管状パッドは、前記腰部の最小内径と前記後端部の内径は全て前記前端部の最小内径より大きく形成することもできる。また、前記前端部には一個の外傾斜面が設けられ、前記外傾斜面は前記前端部の自由端から前記前端部の最大外径の部位まで延伸することもできる。また、さらに一個の内傾斜面が含まれ、前記内傾斜面は前記前端部と前記腰部の最小内径の部位を連接することもできる。また、さらに複数個の軸方向凹部が含まれ、前記軸方向凹部は前記前端部の自由端に設置され、前記軸方向凹部は中心通路から管状パッドの外周壁まで径方向で延伸することもできる。また、前記軸方向凹部は前記前端部の自由端から前記前端部の最大外径および前記腰部が前記後端部と連結する間の位置まで延伸されることもできる。また、前記軸方向凹部は前記前端部の自由端から前記腰部が前記後端部と連結する部位まで延伸されることもできる。
【発明の効果】
【００１２】
本発明のゴルフクラブによれば、ゴルフクラブの内に管状パッドが設けられることにより、固定部材が脱落するのを防止するとともに、前記固定部材を保護するという効果を達成することができ、さらに便利な貫設の過程によって前記管状パッドを設置することができるという利点がある。
【図面の簡単な説明】
【００１３】
【図１】図１は、本発明のゴルフクラブの実施例の断面側面図である。
【図２ａ】図２ａは、本発明の実施例１における一個の組立部材が管状パッドを取り囲んだ状態の断面図で、それぞれの部材の符号が示される図である。
【図２ｂ】図２ｂは、本発明の実施例１における一個の組立部材が管状パッドを取り囲んだ状態の断面図で、それぞれの内径の符号が示される図である。
【図３】図３は、本発明の実施例１の管状パッドの斜視図である。
【図４】図４は、本発明の実施例１の管状パッドの断面図である。
【図５】図５は、本発明の実施例２の管状パッドの斜視図である。
【図６】図６は、本発明の実施例２の管状パッドの断面図である。
【図７】図７は、本発明の実施例３の管状パッドの斜視図である。
【図８】図８は、本発明の実施例３の管状パッドの断面図である。
【図９】図９は、従来のゴルフクラブの断面側面図である。
【発明を実施するための形態】
【００１４】
本発明の好適な実施形態について、以下、図面を参照して説明する。
【００１５】
それぞれの図面において、同様な符号は同一または類似の部位を示す。また、本説明において「第一」、「第二」、「第三」、「上部」、「底部」、「内」、「外」などの類似の用語が使用される時、これらの用語は観者が図面を見る際に関係する構造を参照するのに用いられるだけであり、さらに本発明の説明を補助するのに用いられるものであることを理解されたい。
【実施例１】
【００１６】
図１は本発明の実施例のゴルフクラブの断面側面図で、図２ａは本発明の実施例１における一個の組立部材が管状パッドを取り囲んだ状態の断面図でそれぞれの部材の符号が示されており、図２ｂは本発明の実施例１における一個の組立部材が管状パッドを取り囲んだ状態の断面図でそれぞれの内径の符号が示されている。図１、２を参照すると、本発明の実施例１のゴルフクラブには一個のヘッド１、一個の取り外し可能な組立部材２および一個のシャフト３が含まれる。
【００１７】
ヘッド１には、一個のホーゼル１１、一個の通孔１２と一個の環状突起１３が設けられる。通孔１２はホーゼル１１を貫穿し、その自由端において一個の第一開口１２１が形成される。通孔１２がヘッド１の底部に近接する部位には一個の第二開口１２２が設けられる。環状突起１３はヘッド１の通孔１２の内周壁から内方へ突出するように形成される。そのため、通孔１２は一個の縮径部Ｓ１、一個の第一段Ｓ２と一個の第二段Ｓ３に分けられる。
【００１８】
環状突起１３は一個の正円の形状または複数個の円周方向において互いに対向して間隔される塊体からなることができる。縮径部Ｓ１は通孔１２の中間部分に属し、さらに環状突起１３の一個の環状周縁１３１によって取り囲まれる。第一段Ｓ２は環状突起１３から第一開口１２１まで延伸し、第二段Ｓ３は環状突起１３から第二開口１２２まで延伸する。その他に、環状突起１３には一個の第一軸方向面１３２と一個の第二軸方向面１３３が含まれる。第一軸方向面１３２と第二軸方向面１３３は環状周縁１３１の相対する両辺に連結される。第一軸方向面１３２は通孔１２の第一段Ｓ２に向くように、第二軸方向面１３３は第二段Ｓ３に向くようにそれぞれ形成される。
【００１９】
取り外し可能な組立部材２には一個の套管２１、一個の管状パッド２２および一個の固定部材２３が設けられる。套管２１は通孔１２の第一段Ｓ２に貫設される。套管２１には一個の収容室２１１と一個の固定部２１２が含まれる。シャフト３の一端は収容室２１１の中に設けられ、固定部２１２は套管２１が環状突起１３に向かって延伸する一端に設置される。管状パッド２２は通孔１２の中に設けられ、さらに環状突起１３と嵌合し、かつ縮径部Ｓ１を通じて第一段Ｓ２から第二段Ｓ３まで延伸される。
【００２０】
固定部材２３には一個の固定部２３１、一個の柄部２３２および一個の頭部２３３が含まれ、かつ、管状パッド２２の中に貫設される。固定部材２３の固定部２３１は套管２１の固定部２１２と堅固に連接し、柄部２３２は管状パッド２２を貫穿し、頭部２３３は管状パッド２２を通じて環状突起１３の第二軸方向面１３３を押圧する。固定部２３１はボルトからなることができ、かつ固定部２１２は一個のねじ孔からなるため、このねじ孔は前記ボルトのねじと互いに合わせるように形成される。
【００２１】
シャフト３は套管２１の収容室２１１の中に貫設され、かつ套管２１によって挟持される。このため、シャフト３は取り外し可能な組立部材２によってヘッド１と堅固に結合することができるとともに、両者の間は互いに分離することができるように形成される。
【００２２】
詳しく言えば、本発明の実施例１の特徴は、管状パッド２２にある。再び図２ａ、２ｂを参照すると、管状パッド２２には一個の前端部２２１、一個の後端部２２２、一個の腰部２２３および一個の中心通路２２４が含まれる。前端部２２１は可撓性を有し、かつ一個の最大外径Ｄｆ１を有する。最大外径Ｄｆ１は通孔１２の縮径部Ｓ１の一個の直径Ｄｎより大きく、また、前端部２２１の一個の最小内径Ｄｆ２は固定部２３１の直径Ｄｘより小さい。
【００２３】
本発明において直径Ｄｎと直径Ｄｘに相対する最大外径Ｄｆ１と最小内径Ｄｆ２が設置されるため、管状パッド２２が一旦通孔１２の内に設置されると、前端部２２１を第一段Ｓ２の内に維持することができ、さらに固定部２３１が縮径部Ｓ１に進入するのを避けることができる。後端部２２２は縮径部Ｓ１の直径Ｄｎより大きい一個の最大外径Ｄｒを有し、それにより、後端部２２２は第二段Ｓ３の内に固定され、さらに環状突起１３と固定部材２３の頭部２３３の間に設置される。
【００２４】
腰部２２３は前端部２２１と後端部２２２を連結し、さらに延伸して通孔１２の縮径部Ｓ１を通過する。腰部２２３の一個の外径Ｄｗ１は縮径部Ｓ１の直径Ｄｎと同じ、好ましくは、前記縮径部Ｓ１の直径Ｄｎより小さく、それにより、腰部２２３は容易に延伸して縮径部Ｓ１を通過することができる。
【００２５】
好ましくは、後端部２２２の一個の内径が腰部２２３の最小内径Ｄｗ２と同じである場合、中心通路２２４は順番に延伸して前端部２２１、腰部２２３および後端部２２２を通過し、前端部２２１の最小内径Ｄｆ２と腰部２２３の最小内径Ｄｗ２を形成する。これにより、管状パッド２２は単品式の部材で、かつ環状突起１３は軸方向で前端部２２１と後端部２２２の間に嵌合されるため、管状パッド２２は簡単に第一開口１２１または第二開口１２２を経由して通孔１２から脱出することができない。
【００２６】
この他にも管状パッド２２に関する具体的な設計を有している。図３は本発明の実施例１の管状パッドの斜視図で、図４は本発明の実施例１の管状パッドの断面図である。図２ａ、２ｂ、３、４を参照すると、前端部２２１には好ましくは一個の外傾斜面２２１ａが設けられる。外傾斜面２２１ａは前端部２２１の自由端から最大外径Ｄｆ１の部位まで延伸するため、前端部２２１の外径は前端部２２１の自由端から最大外径Ｄｆ１の場所まで漸次に増大する。前端部２２１の少しの弾性変形と復元特性により、外傾斜面２２１ａによって前端部２２１が縮径部Ｓ１を貫穿するようにスムースに導引することができる。
【００２７】
また、腰部２２３の最小内径Ｄｗ２と後端部２２２の内径は好ましくは全て固定部２３１の直径Ｄｘより大きいため、固定部２３１が前端部２２１に接触する前に全て簡単かつ邪魔されることなく後端部２２２および腰部２２３を通過することができる。この他に、管状パッド２２には好ましくは一個の内傾斜面２２５が設置される。内傾斜面２２５は前端部２２１の最小内径Ｄｆ２の部位および腰部２２３の最小内径Ｄｗ２の部位と連接するため、中心通路２２４の内孔は腰部２２３の最小内径Ｄｗ２の部位から前端部２２１の最小内径Ｄｆ２の部位に向かって次第に狭くなるように形成される。
【００２８】
この他に、後端部２２２にはさらに外に向かうように一個の外隣接面２２２ａが設置される。外隣接面２２２ａは前端部２２１に向かって環状突起１３の第二軸方向面１３３に当接するように形成される。管状パッド２２は好ましくはゴムのような可撓性を有する材料を使用して作成されるため、管状パッド２２は単一の材料を使用して作成された単品式の一体的な部品からなることができる。
【００２９】
そのため、管状パッド２２を第二開口１２２から通孔１２に挿入する時、外傾斜面２２１ａによって前端部２２１を導引して少々変形して滑るように縮径部Ｓ１を通過し、かつ環状突起１３が軸方向で前端部２２１と後端部２２２の間に嵌合されるまで通過することができる。管状パッド２２の挿入ステップにおいて、固定部材２３が設置を完成した後、固定部材２３が導引されて中心通路２２４に進入し、さらに前端部２２１に向かって移動すると同時に、固定部２３１は内傾斜面２２５によって中心通路２２４の一個の中心線まで導引される。また、内傾斜面２２５が圧力を受けることにより、前端部２２１は徐々に拡張するため、固定部２３１を通過させることができる。
【００３０】
上述したステップにおいて、外隣接面２２２ａは確実に第二軸方向面１３３に当接して後端部２２２が縮径部Ｓ１に進入するのを防止することができるため、管状パッド２２が完全に環状突起１３を通過するのを避けることができる。上述したステップにおいて前記内傾斜面２２５の設置は効果的であるが、導引の効果は固定部２３１の円錐状の自由端を利用して実現することもできるため、内傾斜面２２５の必要性は絶対的ではない。
【００３１】
固定部２３１の直径Ｄｘと前端部２２１の最小内径Ｄｆ２の間の関係に基づき、柄部２３２が軸方向で全体の中心通路２２４を貫穿して上述した貫設ステップを完成した後、固定部材２３の固定部２３１は套管２１の固定部２１２と互いに嵌合しているか否かに拘わらず、全て固定部材２３の固定部２３１を第一段Ｓ２の内に維持させることができる。そのため、管状パッド２２の前端部２２１によって固定部材２３が離脱するのを有効に防止することができる。
【００３２】
一方、固定部材２３の固定部２３１と套管２１の固定部２１２が堅固に結合した後、後端部２２２は頭部２３３と第二軸方向面１３３の間に設置される。そのため、頭部２３３と環状突起１３の間の圧力は可撓性材料で作成される前端部２２２によって分散される。この他に、腰部２２３は前端部２２１および後端部２２２と一体に成形されるため、一個の貫設ステップで管状パッド２２を取り付けることができる。
【実施例２】
【００３３】
図５は本発明の実施例２の管状パッドの斜視図で、図６は本発明の実施例２の管状パッドの断面図である。図５、６を参照すると、本発明の実施例２の管状パッド２２’には前述した実施例１の管状パッド２２の中の全ての部材を有するだけではなく、さらに前端部２２１の自由端において複数個の軸方向凹部２２６’が設置され、それぞれの軸方向凹部２２６’は前端部２２１の自由端から前端部２２１の最大外径Ｄｆ１と腰部２２３が後端部２２２と連接する間の位置まで延伸される。
【００３４】
それぞれの軸方向凹部２２６’は中心通路２２４から管状パッド２２’の外周壁まで延伸することにより、前端部２２１を円周方向に沿って複数個の塊体に切り分けることができる。上述した軸方向凹部２２６’によれば、前端部２２１と腰部２２３は軸方向凹部２２６’を設置していない状況では簡単に弾性的に折り曲げることができない第一材料（例えば金属材料）により作成される場合に使用することができ、かつこの第一材料は第二材料により作成される後端部２２２（例えばゴム）とは異なる。他に、腰部２２３は依然として環体の形態を保有し、かつ軸方向凹部２２６’によって複数個の塊体に切り分けられていないため、腰部２２３は依然として一定の強靭さを保有することができる。
【実施例３】
【００３５】
図７は本発明の実施例３の管状パッドの斜視図で、図８は本発明の実施例３の管状パッドの断面図である。図７、８を参照すると、本発明の実施例３の管状パッド２２”は、実施例２の管状パッド２２’と比較すると、管状パッド２２”にも複数個の軸方向凹部２２６”が含まれ、そして異なる点として、それぞれの軸方向凹部２２６”は前端部２２１の自由端から腰部２２３が後端部２２２と連結する部位に向かって延伸することである。それぞれの軸方向凹部２２６”は中心通路２２４から管状パッド２２”の外周壁まで径方向で延伸するため、前端部２２１と後端部２２３は全て円周方向に沿って複数個の塊体に切り分けられる。
【００３６】
そのため、例えば、前記の第二材料により作成される後端部２２２は充分な柔軟性と弾力性（例えばゴム）を有することにより、管状パッド２２”を変形させ、さらに部分的に縮径部Ｓ１を通過させることができ、前端部２２１と腰部２２３の第一材料は実施例２において使用される材料よりさらに硬い金属を選択することにより、管状パッド２２”は変形して部分的に縮径部Ｓ１を貫穿することができる。
【００３７】
総合すると、固定部材２３の固定部２３１は套管２１の固定部２１２と結合していない場合、本発明の実施例におけるそれぞれの管状パッド２２、２２’および２２”によれば、固定部材２３が通孔１２から離脱するのを避けることができるだけではなく、頭部２３３と環状突起１３の間の圧力を分散することもでき、さらに単一の塊体の構造によって組立の利便性を増進することができる。
【００３８】
本発明は、その精神および必須の特徴事項から逸脱することなく他のやり方で実施することもできる。従って、本明細書に記載した好ましい実施形態は例示的なものであり、限定を意図するものではない。
【符号の説明】
【００３９】
１    ヘッド
１１    ホーゼル
１２    通孔
１２１    第一開口
１２２    第二開口
１３    環状突起
１３１    環状周縁
１３２    第一軸方向面
１３３    第二軸方向面
２    取り外し可能な組立部材
２１    套管
２１１    収容室
２１２    固定部
２２    管状パッド
２２１    前端部
２２１ａ    外傾斜面
２２２ａ    外隣接面
２２２    後端部
２２３    腰部
２２４    中心通路
２２５    内傾斜面
２２’    管状パッド
２２”    管状パッド 
２２６’    軸方向凹部
２２６”    軸方向凹部
２３    固定部材
２３１    固定部
２３２    柄部
２３３    頭部
３    シャフト
Ｄｆ１    最大外径
Ｄｆ２    最小内径
Ｄｎ    直径
Ｄｒ    最大外径
Ｄｗ１    外径
Ｄｗ２    最小内径
Ｄｘ    直径
Ｓ１    縮径部
Ｓ２    第一段
Ｓ３    第二段
【図１】
0005860507.tif 000002
【図２ａ】
0005860507.tif 000003
【図２ｂ】
0005860507.tif 000004
【図３】
0005860507.tif 000005
【図４】
0005860507.tif 000006
【図５】
0005860507.tif 000007
【図６】
0005860507.tif 000008
【図７】
0005860507.tif 000009
【図８】
0005860507.tif 000010
【図９】
0005860507.tif 000011